(57)【要約】【課題】不用意な噴霧を防止することができるスプレー構造を提供する。【解決手段】スライドボタン１１１をスライドして延出部１１４先端をキャップ１４奥面３４に対向したロック位置１５１に配置すると、操作ボタン８１の操作部８２を押操作しても延出部１１４先端が奥面３４に当接して当該操作ボタン８１を操作できないロック状態１５２が形成される。スライドボタン１１１をスライドして延出部１１４が奥面３４の横長穴３６に位置したアンロック位置１６１に配置すると、操作ボタン８１を押操作した際に延出部１１４が横長穴３６を挿通することによって、操作ボタン８１の押操作を可能とするアンロック状態１６２が形成される。【選択図】図１
2008136888.tif 000002
【特許請求の範囲】
【請求項１】
スプレー本体より延出したノズルを包囲するキャップを備え、該キャップの側面に設けられた操作部を押操作して前記ノズルから前記スプレー本体内の薬剤を噴出するスプレー装置において、
前記操作部の押操作を阻止したロック状態及び前記操作部の押操作を可能としたアンロック状態を形成するロック機構を設けたことを特徴とするスプレー装置。
【請求項２】
前記ロック機構は、前記操作部に沿ってスライドされるスライド操作部を備え、前記操作部に対する前記スライド操作部のスライドに方向に応じて前記ロック状態と前記アンロック状態とを形成することを特徴とした請求項１記載のスプレー装置。
【請求項３】
前記スライド操作部に前記キャップ側へ延出する延出部を設けるとともに、前記スライド操作部をスライドして前記アンロック状態を形成した際に前記延出部が位置する前記キャップの部位に前記延出部を挿通可能な挿通穴を設けたことを特徴とする請求項２記載のスプレー装置。
【請求項４】
前記操作部と前記スライド操作部との対向面に、該スライド操作部のスライド方向をガイドする溝及び該溝に沿って移動する突出部からなるガイド構造を設けたことを特徴とする請求項２又は３記載のスプレー装置。
【請求項５】
前記スライド操作部に凸部を設け、該凸部が係合する凹部を前記操作部に設けるとともに、前記操作部に対して前記スライド操作部を前記ロック状態へ移動した際に前記凸部が係合する位置と、前記操作部に対して前記スライド操作部を前記アンロック状態へ移動した際に前記凸部が係合する位置とに前記凹部を設けたことを特徴とする請求項２、３又は４記載のスプレー装置。
【発明の詳細な説明】
【技術分野】
【０００１】
本発明は、芳香剤、消臭剤、殺虫剤等の薬剤を噴霧するスプレー装置に関する。
【背景技術】
【０００２】
従来、トイレや居住空間内で使用する芳香剤、消臭剤、殺虫剤としては、スプレータイプのものが知られている。
【０００３】
このスプレータイプの芳香剤等は、薬剤と共に圧縮ガスや液化ガス等の噴射剤がスプレー本体内に収容されており、該スプレー本体に設けられた噴出ノズルから噴霧されるように構成されている。
【０００４】
このようなスプレー装置としては、スプレー本体上部に嵌着されたキャップの側面に、噴射ボタンが設けられたものが知られている（例えば、特許文献１〜４参照。）。
【０００５】
該噴射ボタンの裏面に設けられた突出部は、内側へ向けて延出しており、スプレー本体の中央部には、上方に延出したノズルが設けられている。該ノズルには、噴出ノズルが嵌着されており、前記ノズルから噴出された液状薬剤を上方へ噴出できるように構成されている。
【０００６】
これにより、前記噴射ボタンを側面側から押圧操作して前記ノズルを側方へ傾倒することで、前記キャップ上面より上方へ向けて前記液状薬剤を噴霧できるように構成されている。
【０００７】
この様な側面に噴射ボタンを備えたスプレーは、手に持って操作することはもちろん、スプレーの背面を壁の壁面に固定した状態であっても、噴射ボタンを容易に操作することができ、幅広い用途に利用されるものである。
【特許文献１】実開昭６２−１０９７６０号公報
【特許文献２】実開平０１−１７０４６９号公報
【特許文献３】実開平０３−０９０６５４号公報
【特許文献４】実開平０４−０１９４８０号公報
【発明の開示】
【発明が解決しようとする課題】
【０００８】
しかしながら、このようなスプレー装置にあっては、液状薬剤を噴霧させる為の噴射ボタンがキャップの側面に設けられている。このため、スプレー本体を把持する際や、スプレー本体を壁面に設置したり取り外す際に、前記噴射ボタンに誤って触れてしまうことがある。
【０００９】
これにより、意図せずに液状薬剤を噴霧させてしまい、薬剤を無駄に消費してしまうばかりか、衣類や周囲を汚してしまうことがあった。
【００１０】
本発明は、このような従来の課題に鑑みてなされたものであり、不用意な噴霧を防止することができるスプレー構造を提供することを目的とするものである。
【課題を解決するための手段】
【００１１】
前記課題を解決するために本発明の請求項１のスプレー装置にあっては、スプレー本体より延出したノズルを包囲するキャップを備え、該キャップの側面に設けられた操作部を押操作して前記ノズルから前記スプレー本体内の薬剤を噴出するスプレー装置において、前記操作部の押操作を阻止したロック状態及び前記操作部の押操作を可能としたアンロック状態を形成するロック機構を設けた。
【００１２】
すなわち、このスプレー装置には、ロック機構が設けられており、前記操作部の押操作を阻止したロック状態を形成することができる。このため、当該スプレー装置を把持して壁面に設置したり取り外す際に、前記ロック状態を形成することによって、誤って前記操作部に触れてしまった場合であっても、前記操作部の誤操作による薬剤の噴出が防止される。
【００１３】
また、設置後には、前記ロック機構を前記アンロック状態にすることで、前記操作部の押操作を可能とすることができる。これにより、前記操作部の操作に応じた薬剤の噴出が可能となる。
【００１４】
また、請求項２のスプレー装置においては、前記ロック機構は、前記操作部に沿ってスライドされるスライド操作部を備え、前記操作部に対する前記スライド操作部のスライドに方向に応じて前記ロック状態と前記アンロック状態とを形成する。
【００１５】
すなわち、前記スライド操作部を前記操作部に沿ってスライドすることにより、前記ロック状態又は前記アンロック状態を形成することができる。
【００１６】
このアンロック状態において、前記操作部を押操作することにより、前記ノズルから前記スプレー本体内の薬剤を噴出することができる。
【００１７】
このように、前記スライド操作部を操作して前記ロック状態又は前記アンロック状態を形成する際の操作方向と、前記操作部を押操作して前記薬剤を噴出する際の操作方向とが異なる方向に設定される。
【００１８】
さらに、請求項３のスプレー装置では、前記スライド操作部に前記キャップ側へ延出する延出部を設けるとともに、前記スライド操作部をスライドして前記アンロック状態を形成した際に前記延出部が位置する前記キャップの部位に前記延出部を挿通可能な挿通穴を設けた。
【００１９】
すなわち、前記スライド操作部をスライドして前記アンロック状態を形成した際には、前記スライド操作部より延出した延出部が前記キャップに設けられた挿通穴位置に配置される。
【００２０】
この状態では、前記延出部を前記挿通穴へ挿通することができるため、前記操作部の押操作が許容される。
【００２１】
加えて、請求項４のスプレー装置にあっては、前記操作部と前記スライド操作部との対向面に、該スライド操作部のスライド方向をガイドする溝及び該溝に沿って移動する突出部からなるガイド構造を設けた。
【００２２】
すなわち、前記操作部と前記スライド操作部との対向面には、該スライド操作部のスライド方向をガイドする溝及び突出部からなるガイド構造が設けられており、前記スライド操作部をスライドする際には、このガイド構造によって前記スライド操作部の操作方向が定められる。
【００２３】
また、請求項５のスプレー装置においては、前記スライド操作部に凸部を設け、該凸部が係合する凹部を前記操作部に設けるとともに、前記操作部に対して前記スライド操作部を前記ロック状態へ移動した際に前記凸部が係合する位置と、前記操作部に対して前記スライド操作部を前記アンロック状態へ移動した際に前記凸部が係合する位置とに前記凹部を設けた。
【００２４】
すなわち、前記操作部に対して前記スライド操作部を前記ロック状態へ移動した際には、前記凸部が一方の前記凹部と係合する。これにより、クリック感が得られる。
【００２５】
また、前記操作部に対して前記スライド操作部を前記アンロック状態へ移動した際には、前記凸部が他方の前記凹部に係合する。これにより、クリック感が得られる。
【発明の効果】
【００２６】
以上説明したように本発明の請求項１のスプレー装置にあっては、前記ロック機構をアンロック状態にすることで、前記操作部の押操作を可能とすることができ、前記操作部の操作に応じた薬剤の噴出が可能となる。
【００２７】
一方、前記ロック機構をロック状態とすることで、当該スプレー装置を把持して壁面に設置したり取り外す際に、誤って前記操作部に触れてしまった場合であっても、前記操作部の誤操作による薬剤の噴出を防止することができる。
【００２８】
したがって、意図しない薬剤の不用意な噴出を確実に防止することができる。
【００２９】
また、請求項２のスプレー装置においては、前記スライド操作部を前記操作部に沿ってスライドすることで、前記ロック状態又は前記アンロック状態を形成することができる。
【００３０】
そして、前記スライド操作部を操作して前記ロック状態又は前記アンロック状態を形成する際の操作方向と、前記操作部を操作して前記薬剤を噴出する際の操作方向とを異なる方向にすることができる。
【００３１】
このため、ロック操作と噴出操作との操作ミスを防止しつつ、両操作時での操作性を高めることができる。
【００３２】
さらに、請求項３のスプレー装置では、前記スライド操作部をスライドして前記アンロック状態を形成した際には、前記スライド操作部より延出した延出部が前記キャップに設けられた挿通穴位置に配置される。
【００３３】
このため、この状態において前記延出部を前記挿通穴へ挿通することができるため、前記操作部の押操作を可能とした前記アンロック状態を形成することができる。
【００３４】
加えて、請求項４のスプレー装置にあっては、前記操作部と前記スライド操作部との対向面に、該スライド操作部のスライド方向をガイドする溝及び突出部からなるガイド構造を設けることによって、前記スライド操作部をスライドする際には、このガイド構造によって前記スライド操作部の操作方向を定めることができる。
【００３５】
また、請求項５のスプレー装置においては、前記操作部に対して前記スライド操作部を前記ロック状態へ移動した際と、前記スライド操作部を前記アンロック状態へ移動した際とにおいて、前記凸部がいずれかの前記凹部に係合し、クリック感を得ることができる。
【発明を実施するための最良の形態】
【００３６】
以下、本発明の一実施の形態を図に従って説明する。図１は、本実施の形態にかかるスプレー装置１を示す図であり、このスプレー装置１としては、トイレなどで使用される芳香消臭剤がその一例として挙げられる。
【００３７】
このスプレー装置１のスプレー本体１１は、円筒容器状に形成されており、その天面には、上方に膨出した膨出部１２が形成されている。該膨出部１２の中央からは、円筒状のノズル１３が上方へ向けて延出しており、該ノズル１３は、当該スプレー本体１１側へ後退操作された際に当該スプレー本体１１内に収容された液状薬剤を先端から噴霧するプッシュダウン型で構成されている。このスプレー本体１１の上部には、前記ノズル１３を包囲するキャップ１４が固定されており、前記ノズル１３の不用意な操作が防止されるように構成されている。
【００３８】
このキャップ１４は、前記スプレー本体１１上縁の外折返部２１に外嵌する側面を構成する外周壁２２と、該外周壁２２の内側に設けられた内円筒部２３とを備えている。前記キャップ１４の天面２４には、図２にも示すように、噴霧穴２５が設けられており、該噴霧穴２５は、前記内円筒部２３に連通している。前記天面２４からは、図２の（ｂ）に示したように、前記内円筒部２３に沿って延在するフランジ部２６と、前記噴霧穴２５の開口縁部より延出した延出片２７が設けられており、前記内円筒部２３には、中心部へ向かって延出したリブ２８が突設されている。
【００３９】
前記外周壁２２には、図２の（ａ）に示したように、壁面に取り付ける為の壁掛け部３１が設けられている。この壁掛け部３１の逆側には、図３にも示すように、前記天面２４から下方へ向かうに従って外側に傾斜した傾斜面３２が形成されおり、該傾斜面３２の中央部には、上下に延在する長方形状の取付凹部３３が凹設されている。該取付凹部３３の奥面３４は、前記内円筒部２３の一部を構成しており、この奥面３４には、上下に延在する縦長穴３５と該縦長穴３５の上部に連続した挿通穴としての横長穴３６とからなる取付穴３７が開設されている。
【００４０】
この奥面３４と前記傾斜面３２との間には、図２の（ｂ）に示したように、両者を連設する三角形状の連設壁４１が形成されており、この連設壁４１は、前記取付凹部３３の下縁より下側まで延長されている。この延長部４２の手前側には、矩形状の段部４３が対向する延長部４２側へ向けて突設されており、該段部４３の下端は、連結片４４によって前記内円筒部２３に連結されている。これにより、前記連結片４４と前記連設壁４１との間には、矩形状の軸支穴４５が設けられており、該軸支穴４５は、前記各連設壁４１の下部に対向して設けられている。
【００４１】
前記内円筒部２３の下部には、図１に示したように、内嵌部材５１が内嵌した状態で固定されている。該内嵌部材は、図４にも示すように、円筒状の基部５２を備えており、該基部５２の先端側には、前記内円筒部２３に内嵌される小径部５３が形成されている。前記基部５２の基端側には、前記小径部５３より大径の大径部５４が形成されており、該大径部５４は、図１に示したように、前記スプレー本体１１の膨出部１２上縁の内折返部５５を内嵌した状態で固定できるように構成されている。
【００４２】
前記基部５２の上縁には、噴出ノズル６１が支持板６２を介して上下方向へ揺動可能に支持されており、該支持板６２と前記基部５２との間には、該基部５２の内縁に沿って延在する溝により薄肉部６３が形成されている。この噴出ノズル６１の中央部には、円筒状のノズル部６４が一体形成されており、該ノズル部６４の基端には、図１に示したように、前記スプレー本体１１より延出した前記ノズル１３の先端部が挿入されるように構成されている（図１参照）。また、前記ノズル部６４は、前記キャップ１４の天面２４に設けられた前記噴霧穴２５へ向けて延出しており、前記ノズル１３より噴出された液状薬剤を前記ノズル部６４を介して前記噴霧穴２５から上方へ向けて噴霧できるように構成されている。
【００４３】
前記ノズル部６４の基端部には、前記支持板６２と逆側に延出する二股延出部７１が一体形成されており、該二股延出部７１は二股に形成されているとともに、その先端には円柱部７２が架橋されている。そして、この二股延出部７１の先端側に位置する前記基部５２の小径部５３には、切欠部７４が形成されている。
【００４４】
前記キャップ１４の前記傾斜面３２には、図１に示したように、操作ボタン８１が取り付けられている。該操作ボタン８１は、図５及び図６にに示すように、ハート形板状の操作部８２と、該操作部８２の裏面８３に突設された突設板８４とによって構成されている。該突設板８４は、図５の（ａ）及び図６に示したように、前記操作部８２の中央部から下方へ延出した縦板部８５と、該縦板部８５の上縁に一体形成された横板部８６とからなり、該横板部８６の奥側には、前記キャップ１４に設けられた前記取付穴３７の前記横長穴３６に挿入された状態で、該横長穴３６の左右の縁に当接する抜け止め８７，８７が突設されている。
【００４５】
また、前記縦板部８５の後部には、図６に示したように、下方へ延長されてなる下方延長部９１が一体形成されている。この下方延長部９１の手前側の角部には、側方へ延出した円柱状の軸部９２が一体形成されており、当該操作ボタン８１を前記キャップ１４に取り付けた際には、前記軸部９２が前記キャップ１４の前記連結片４４と前記連設壁４１との間に形成された前記軸支穴４５に遊嵌された状態で回動自在に支持されるように構成されている。また、前記下方延長部９１の奥側には、円弧状の円弧部９３が切欠されており、該円弧部９３は、当該操作ボタン８１を前記キャップ１４に取り付けた状態で、該キャップ１４内の内嵌部材５１に設けられた前記二股延出部７１間の前記円柱部７２に上方から嵌合するように構成されている。
【００４６】
これにより、前記操作ボタン８１を前記キャップ１４に取り付けた状態において、該キャップ１４の側面に突設した前記操作部８２を前記キャップ１４側へ後退するように押操作した際に、当該操作ボタン８１が前記軸部９２を中心に回動し、前記下方延長部９１の前記円弧部９３が嵌合した前記噴出ノズル６１の自由端部に設けられた前記円柱部７２を押し下げるように構成されている。このとき、当該噴出ノズル６１を前記基部５２に支持する前記支持板６２が前記薄肉部６３を中心として下方へ弾性変形することで、当該支持板６２に設けられたノズル部６４を下方へ押し下げ、これにより該ノズル部６４が前記スプレー本体１１の前記ノズル１３を押圧操作することで、該ノズル１３から噴出された前記スプレー本体１１内の液状薬剤を前記ノズル部６４先端から上方へ向けて噴出できるように構成されている。
【００４７】
また、前記操作ボタン８１の前記操作部８２の中央部には、図５の（ｂ）に示したように、正方形状の矩形穴１０１が開設されており、その中央部に前記突設板８４の前記縦板部８５が配置されている。前記操作ボタン８１の表面１０２には、対を成す円形の上凹部１０３，１０３及び下凹部１０４，１０４が上下に離間して前記矩形穴１０１の両側にそれぞれ凹設されており、前記矩形穴１０１の下部には、前記縦板部８５に平行して延在する一対のガイド溝１０５，１０５が形成されている。
【００４８】
前記矩形穴１０１には、図１に示したように、スライド操作部としてのスライドボタン１１１が取り付けられており、該スライドボタン１１１は、図７及び図８にも示すように、ハート形板状のスライド部１１２と、該スライド部１１２の裏面１１３より延出した延出部１１４とによって構成されている。
【００４９】
この延出部１１４は、図８の（ａ）にも示すように、離間して設けられた一対の挟持部１２１，１２１によって構成されており、当該延出部１２１，１２１を前記操作ボタン８１の前記矩形穴１０１に挿入した状態で、両挟持部１２１，１２１が前記操作ボタン８１に設けられた前記突設板８４の前記縦板部８５を両脇から挟持するように構成されている。前記挟持部１２１，１２１は、断面Ｌ字状に形成されており、両挟持部１２１，１２１の対向した対向面１２２，１２２の先端側には、対向面１２２側へ突出した突起１２３が設けられている。
【００５０】
これにより、前記両挟持部１２１，１２１で前記突設板８４の前記縦板部８５を両脇から挟持した状態で、当該スライドボタン１１１の前記縦板部８５からの抜けが前記突起１２３，１２３によって阻止できるように構成されており、この挟持状態を維持しながら前記スライドボタン１１１を、前記縦板部８５に沿って縦方向へスライドできるように構成されている。
【００５１】
前記スライド部１１２の裏面１１３には、該裏面１１３が対向する前記操作ボタン８１の表面１０２に形成された前記ガイド溝と１０５，１０５対を成す突出部としてのレール１３１，１３１が突設されており、各レール１３１，１３１は、当該スライドボタン１１１を前記操作ボタン８１に取り付けた状態において、前記ガイド溝１０５内を移動することで、前記操作ボタン８１に対する前記スライドボタン１１１の移動方向をガイドするガイド構造を構成している。
【００５２】
また、前記スライド部１１２の裏面１１３には、前記延出部１１４の両脇に円形の凸部１４１，１４１が突設されており、前記各凸部１４１，１４１は、前記操作ボタン８１の表面１０２に設けられた対応する凹部１０３，１０３，１０４，１０４と係合するように構成されている。これにより、前記操作ボタン８１に対して前記スライドボタン１１１をスライド操作した際に、前記凸部１４１，１４１が上凹部１０３，１０３又は下凹部１０４，１０４と係合することで、クリック感が得られるように構成されている。
【００５３】
そして、前記スライドボタン１１１を前記操作ボタン８１に対してスライドして前記凸部１４１，１４１を前記下凹部１０４，１０４に係合した状態では、図２及び図３に示したように、前記延出部１１４の前記両挟持部１２１，１２１先端が前記キャップ１４の前記取付凹部３３を構成する前記奥面３４に対向したロック位置１５１に配置されるように構成されており、この状態で、前記操作ボタン８１の操作部８２を押操作しても、前記延出部１１４の前記両挟持部１２１，１２１先端が前記キャップ１４の前記奥面３４に当接することによって、当該操作ボタン８１を操作できない前記ロック状態１５２が形成されるように構成されている。
【００５４】
また、前記スライドボタン１１１を前記操作ボタン８１に対してスライドして前記凸部１４１，１４１を前記上凹部１０３，１０３に係合した状態では、前記延出部１１４の前記両挟持部１２１，１２１先端が前記キャップ１４の前記奥面３４に形成された前記取付穴３７の前記横長穴３６に配置されたアンロック位置１６１に配置されるように構成されており、この状態で、前記操作ボタン８１の前記操作部８２を押操作した際には、前記延出部１１４の前記両挟持部１２１，１２１先端が前記横長穴３６を挿通することによって、当該操作ボタン８１の押操作を可能としたアンロック状態１６２が形成されるように構成されている。
【００５５】
これにより、前記操作ボタン８１に対して前記スライドボタン１１１を下方へスライドした際に前記操作ボタン８１の押操作を阻止した前記ロック状態１５２を形成するとともに、前記スライドボタン１１１を上方へスライドした際に前記アンロック状態１６２を形成するロック機構１７１が構成されている。
【００５６】
以上の構成にかかる本実施の形態において、このスプレー装置１は、前記ロック機構１７１を備えており、このロック機構１７１を前記アンロック状態１６２にすることで、前記操作部８２の押操作を可能とすることができ、当該操作部８２の操作に応じた薬剤の噴霧が可能となる。
【００５７】
一方、当該スプレー装置１を把持して壁面に設置したり取り外す際には、前記ロック機構１７１を前記ロック状態１５２とすることによって、誤って前記操作部８２に触れてしまった場合であっても、前記操作部８２の誤操作による薬剤の噴霧を防止することができる。
【００５８】
したがって、意図しない薬剤の不用意な噴出を確実に防止することができる。
【００５９】
そして、前記スライドボタン１１１を前記操作ボタン８１に沿ってスライドすることにより、前記ロック状態１５２又は前記アンロック状態１６２を形成することができる。
【００６０】
このアンロック状態１６２では、前記操作ボタン８１を押操作することにより、前記噴出ノズル６１のノズル部６４から前記スプレー本体１１内の薬剤を噴出することができる。
【００６１】
このように、前記スライドボタン１１１を操作して前記ロック状態１５２又は前記アンロック状態１６２を形成する際の操作方向と、前記操作ボタン８１を押操作して前記薬剤を噴出する際の操作方向とは異なる方向に設定されている。
【００６２】
このため、ロック操作と噴出操作との操作ミスを防止しつつ、両操作を一つの指で行うことができ、操作性を高めることができる。
【００６３】
そして、前記スライドボタン１１１をスライドして前記アンロック状態１６２を形成した際には、前記スライドボタン１１１より延出した延出部１１４が前記キャップ１４に設けられた横長穴３６位置に配置される。
【００６４】
このため、この状態において前記延出部１１４を前記横長穴３６へ挿通することができるため、前記操作ボタン８１の押操作を可能とした前記アンロック状態１６２を形成することができる。
【００６５】
そして、前記操作ボタン８１の表面１０２と前記スライドボタン１１１の裏面１１３に、該スライドボタン１１１のスライド方向をガイドするガイド溝１０５，１０５及びレール１３１，１３１からなるガイド構造を設けることによって、前記スライドボタン１１１をスライドする際には、このガイド構造によって前記スライドボタン１１１の操作方向を定めることができる。
【００６６】
また、前記スライド部１１２の裏面１１３には、前記延出部１１４の両脇に円形の凸部１４１，１４１が突設されており、前記各凸部１４１，１４１は、前記操作ボタン８１の表面１０２に設けられた対応する凹部１０３，１０３，１０４，１０４と係合するように構成されている。
【００６７】
このため、前記操作ボタン８１に対して前記スライドボタン１１１を前記ロック位置１５１又はアンロック位置１６１へスライド操作して前記ロック状態１５２又は前記アンロック状態１６２を形成した際には、前記凸部１４１，１４１が上凹部１０３，１０３又は下凹部１０４，１０４と係合することで、クリック感を得ることができる。
【００６８】
なお、本実施の形態では、前記ノズル１３を前記スプレー本体１１側へ後退操作した際に当該スプレー本体１１内に収容された液状薬剤を先端から噴霧するプッシュダウン型バルブを備えたエアゾールで構成した場合に付いてのみ説明したが、これに限定されるものではなく、前記ノズル１３を側方へ傾倒操作した際に当該スプレー本体１１内に収容された液状薬剤を先端から噴霧するチルト型バルブを備えたエアゾールで構成することもできる。
【図面の簡単な説明】
【００６９】
【図１】本発明の一実施の形態を示す要部の断面図である。
【図２】同実施の形態のキャップを示す図で、（ａ）は平面図であり、（ｂ）は要部の断面図である。
【図３】同実施の形態のキャップを示す正面図である。
【図４】同実施の形態の内嵌部材を示す図で、（ａ）は平面図であり、（ｂ）は要部の断面図である。
【図５】同実施の形態の操作ボタンを示す図で、（ａ）は背面図であり、（ｂ）は正面図である。
【図６】同実施の形態の操作ボタンを示す側面図である。
【図７】同実施の形態のスライドボタンを示す図で、（ａ）は背面図であり、（ｂ）は正面図である。
【図８】同実施の形態のスライドボタンを示す図で、（ａ）は平面図であり、（ｂ）は要部の断面図である。
【符号の説明】
【００７０】
１    スプレー装置
１１    スプレー本体
１３    ノズル
１４    キャップ
２２    外周壁
３６    横長穴
８１    操作ボタン
８２    操作部
１０２    表面
１０５    ガイド溝
１１１    スライドボタン
１１３    裏面
１１４    延出部
１３１    レール
１５１    ロック位置
１５２    ロック状態
１６１    アンロック位置
１６２    アンロック状態
１７１    ロック機構
【図１】
2008136888.tif 000003
【図２】
2008136888.tif 000004
【図３】
2008136888.tif 000005
【図４】
2008136888.tif 000006
【図５】
2008136888.tif 000007
【図６】
2008136888.tif 000008
【図７】
2008136888.tif 000009
【図８】
2008136888.tif 000010